(57)【特許請求の範囲】
【請求項１】
金属材料などから成り複数の網線が略格子状に組み合わされて成るバーベキューコンロの焼き網であってその平面が「水平方向」に配置された状態で使用される焼き網の外周端部側の任意の場所に、一時的に且つ着脱自在に取付け可能なフックであって、
トングや菜箸やハサミなどが引っ掛けられる部分を含んでおり、焼き網に取り付けられるとき焼き網からユーザー方向に延びる引っ掛け用棒と、
前記引っ掛け用棒の端面と対向する方向から見て前記引っ掛け用棒の焼き網側の端部（分岐用端部）から２つの斜め上方向に全体として略Ｕ又はＶ字状に分かれるように、且つ前記引っ掛け用棒の側面と対向する方向から見て前記引っ掛け用棒の長手方向と略直交又は傾斜する上方向に延びるように、前記引っ掛け用棒の端部と連続し又は接続されている、全体が略Ｕ又はＶ字形となっている２本の取り付け用棒と、を備えており、
前記２本の取り付け用棒は、それぞれ、
焼き網に取り付けられるとき前記引っ掛け用棒の端部（分岐用端部）から焼き網のある斜め上方向に延びる上方傾斜部と、
焼き網に取り付けられるとき前記上方傾斜部の焼き網に近い端部が焼き網の在る斜め下方向に折り曲げられて成る折り曲げ部と、
焼き網に取り付けられるとき前記折り曲げ部から焼き網の在る斜め下方に延びて焼き網の網の目（穴）に対向する網目対向部と、
前記網目対向部から連続的に延びて前記網の目（穴）の周囲の網線の下面に当接する網線当接部と、
を備えたことを特徴とするバーベキューコンロの焼き網用フック。
【請求項２】
金属材料などから成り複数の網線が略格子状に組み合わされて成るバーベキューコンロの焼き網であってその平面が「水平方向」に配置された状態で使用される焼き網の外周端部側の任意の場所に、一時的に且つ着脱自在に取付け可能なフックであって、
トングや菜箸やハサミなどが引っ掛けられる部分を含んでおり、焼き網に取り付けられるとき焼き網からユーザー方向に延びる引っ掛け用棒と、
前記引っ掛け用棒の端面と対向する方向から見て前記引っ掛け用棒の焼き網側の端部（分岐用端部）から２つの斜め上方向に全体として略Ｕ又はＶ字状に分かれるように、且つ前記引っ掛け用棒の側面と対向する方向から見て前記引っ掛け用棒の長手方向と略直交又は傾斜する上方向に延びるように、前記引っ掛け用棒の端部と連続し又は接続されている、全体が略Ｕ又はＶ字形となっている２本の取り付け用棒と、を備えており、
前記２本の取り付け用棒は、それぞれ、
焼き網に取り付けられるとき前記引っ掛け用棒の端部（分岐用端部）から焼き網のある斜め上方向に延びる上方傾斜部と、
焼き網に取り付けられるとき前記上方傾斜部の焼き網に近い端部が焼き網方向に折り曲げられて成る第１折り曲げ部と、
焼き網に取り付けられるとき第１折り曲げ部から焼き網の方向に延びる部分であって焼き網の外周のフレームの上方においてこれと対向するフレーム対向部と、
焼き網に取り付けられるとき前記フレーム対向部の前記第１折り曲げ部と反対側の端部が斜め下方の焼き網の網の目（穴）に近づく方向に折り曲げられて成る第２折り曲げ部と、
焼き網に取り付けられるとき前記第２折り曲げ部から斜め下方の焼き網の網の目（穴）に対向し且つその中を通過するように延びる網目通過部と、
焼き網に取り付けられるとき前記網目通過部の前記第２折り曲げ部の反対側の端部が斜め上方の焼き網の網線に近づく方向に折り曲げられて成る第３折り曲げ部と、
焼き網に取り付けられるとき前記第３折り曲げ部から斜め上方の焼き網の網線の下面に当接するように延びる網線当接部と、
を備えたことを特徴とするバーベキューコンロの焼き網用フック。
【請求項３】
前記引っ掛け用棒は、
前記分岐用端部と反対側の端部にトングや菜箸やハサミなどが抜け落ちることを防止するために上方に湾曲された脱落防止用端部が形成され又は脱落防止用端部を備えていることを特徴とする請求項１又は２のバーベキューコンロの焼き網用フック。
【発明の詳細な説明】
【技術分野】
【０００１】
本発明はバーベキューコンロ用の焼き網に取り付けて使用される、トングや菜箸やハサミなどを引っ掛けるためのフック（引掛け具）に関する。
【背景技術】
【０００２】
従来より、アウトドアでバーベキューを行うためのバーベキューコンロには、トングや菜箸やハサミなどを引っ掛けるためのフック（引掛け具）が焼き網の近傍に設けられている例がある。例えば特許文献１に開示されているバーベキューコンロでは、図９に示すように、焼き網を設置する水平フレーム（バーベキューコンロの脚部と固定されている水平枠）の一方の側端部から逆コの字状に突出するフック（引掛け具）が、前記水平フレーム（又は脚部）に溶接などで固定されている。
【先行技術文献】
【特許文献】
【０００３】
【特許文献１】特開平１１−１９２１７０号公報
【発明の概要】
【発明が解決しようとする課題】
【０００４】
ところで、前記の特許文献１に示すような従来例では、トングや菜箸やハサミなどを引っ掛けるためのフック（引掛け具）は、バーベキューコンロのいずれかの部分だけ、例えばバーベキューコンロの焼き網の一方の側端部だけに固定されていた。そのため、前記の特許文献１に示すような従来のフック（引掛け具）によるときは、そのフックが取り付けてあるバーベキューコンロの焼き網の一方の側端部などの所定の位置だけにしかトングや菜箸やハサミなどを引っ掛けることができなかった。
【０００５】
そのため、前記の特許文献１に示すような従来例においては、例えばトングや菜箸やハサミなどを「焼き網の周囲に散らばっている複数人」が交替しながら使用する場合に、「焼き網の周囲に散らばっている複数人」中の誰かがそれまで使用していたトングや菜箸やハサミなどをフック（引掛け具）に引っ掛けようとするときは（又はフックに引っ掛けられているトングや菜箸やハサミを取ろうとするときは）、いちいち前記フックのある場所まで移動しなくてはならない（又はそのフックの近傍に居る人にトングや菜箸やハサミなどをフックに引っ掛けること若しくはフックに引っ掛けられているトングや菜箸やハサミを取ることを依頼しなければならない）という不便さがあった。
【０００６】
本発明はこのような従来技術の問題点に着目してなされたものであって、例えばトングや菜箸やハサミなどを「焼き網の周囲に散らばっている複数人」が交替しながら使用する場合に、「焼き網の周囲に散らばっている複数人」中の誰かがそれまで使用していたトングや菜箸やハサミなどをフック（引掛け具）に引っ掛けようとするときに（又はフックに引っ掛けられているトングや菜箸やハサミを取ろうとするときに）、いちいち前記フックのある場所まで移動する必要がない（又はそのフックの近傍に居る人にトングや菜箸やハサミなどをフックに引っ掛けること若しくはフックに引っ掛けられているトングや菜箸やハサミを取ることを依頼する必要がない）バーベキューコンロの焼き網用フックを提供することを目的とする。すなわち、本発明は、バーベキューコンロの焼き網の周囲の端部側の任意の場所に一時的に着脱自在に取付けることができるバーベキューコンロの焼き網用フックを提供することを目的とする。
【課題を解決するための手段】
【０００７】
このような課題を解決するための本発明によるバーベキューコンロの焼き網用フックは、バーベキューコンロの焼き網であって金属などから成る複数の網線が略格子状に組み合わされて成る焼き網の周囲の端部側の任意の場所に、一時的に着脱自在に取付け可能なフックであって、トングや菜箸やハサミなどが引っ掛けられる部分を含んでおり、焼き網に取り付けられるとき焼き網からユーザー方向に延びる引っ掛け用棒と、前記引っ掛け用棒の端面と対向する方向から見て前記引っ掛け用棒の焼き網側の端部（分岐用端部）から２つの斜め上方向に略Ｕ字状又は略Ｖ字状に分かれるように、且つ前記引っ掛け用棒の側面と対向する方向から見て前記引っ掛け用棒の長手方向と略直交又は傾斜する上方向に延びるように、前記引っ掛け用棒の端部と連続し又は接続されている、全体が略Ｕ又はＶ字形となっている略Ｕ又はＶ字形の２本の取り付け用棒と、を備えており、前記２本の取り付け用棒は、それぞれ、焼き網に取り付けられるとき前記引っ掛け用棒の端部（分岐用端部）から焼き網のある斜め上方向に延びる上方傾斜部と、焼き網に取り付けられるとき前記上方傾斜部の焼き網に近い端部が斜め下にある焼き網方向に折り曲げられて成る折り曲げ部と、焼き網に取り付けられるとき前記折り曲げ部から焼き網の在る斜め下方に延びて焼き網の網の目（穴）に対向する網目対向部と、前記網目対向部から連続的に延びて前記網の目（穴）の周囲の網線の下面に当接する網線当接部と、を備えたことを特徴とするものである。
【０００８】
また、本発明によるバーベキューコンロの焼き網用フックは、バーベキューコンロの焼き網であって金属などから成る複数の網線が略格子状に組み合わされて成る焼き網の周囲の端部側の任意の場所に、一時的に着脱自在に取付け可能なフックであって、トングや菜箸やハサミなどが引っ掛けられる部分を含んでおり、焼き網に取り付けられるとき焼き網からユーザー方向に延びる引っ掛け用棒と、前記引っ掛け用棒の端面と対向する方向から見て前記引っ掛け用棒の焼き網側の端部（分岐用端部）から２つの斜め上方向に略Ｕ字状又は略Ｖ字状に分かれるように、且つ前記引っ掛け用棒の側面と対向する方向から見て前記引っ掛け用棒の長手方向と略直交又は傾斜する上方向に延びるように、前記引っ掛け用棒の端部と連続し又は接続されている、全体が略Ｕ又はＶ字形となっている略Ｕ又はＶ字形の２本の取り付け用棒と、を備えており、前記２本の取り付け用棒は、それぞれ、焼き網に取り付けられるとき前記引っ掛け用棒の端部（分岐用端部）から焼き網のある斜め上方向に延びる上方傾斜部と、焼き網に取り付けられるとき前記上方傾斜部の焼き網に近い端部が焼き網方向に折り曲げられて成る第１折り曲げ部と、焼き網に取り付けられるとき第１折り曲げ部から焼き網の方向に延びる部分であって焼き網の外周のフレームの上方においてこれと対向するフレーム対向部と、焼き網に取り付けられるとき前記フレーム対向部の前記第１折り曲げ部と反対側の端部が斜め下方の焼き網の網の目（穴）に近づく方向に折り曲げられて成る第２折り曲げ部と、焼き網に取り付けられるとき前記第２折り曲げ部から斜め下方の焼き網の網の目（穴）に対向し且つその中を通過するように延びる網目通過部と、焼き網に取り付けられるとき前記網目通過部の前記第２折り曲げ部の反対側の端部が斜め上方の焼き網の網線に近づく方向に折り曲げられて成る第３折り曲げ部と、焼き網に取り付けられるとき前記第３折り曲げ部から斜め上方の焼き網の網線の下面に当接するように延びる網線当接部と、を備えたことを特徴とするものである。
【０００９】
さらに、本発明によるバーベキューコンロの焼き網用フックにおいては、前記引っ掛け用棒は、その前記分岐用端部と反対側の端部にトングや菜箸やハサミなどが抜け落ちることを防止するために上方に湾曲された脱落防止用端部が形成され又は脱落防止用端部を備えていることが望ましい。
【発明の効果】
【００１０】
本願の第１の発明においては、前記略Ｕ又はＶ字形の２本の取り付け用棒に、それぞれ、焼き網に取り付けられるとき前記引っ掛け用棒の端部（分岐用端部）から焼き網のある斜め上方向に延びる（且つ両者併せて全体として略Ｕ又はＶ字状に延びる）上方傾斜部と、焼き網に取り付けられるとき前記上方傾斜部の焼き網に近い端部が斜め下にある焼き網方向に折り曲げられて成る折り曲げ部と、焼き網に取り付けられるとき前記折り曲げ部から焼き網のある斜め下方に延びて焼き網の網の目（穴）に対向する網目対向部と、前記通過した網の目（穴）と隣接する網に当接する網線当接部とを備えるようにしている。よって、本発明によれば、ユーザーは、前記折り曲げ部を焼き網の端部近くの任意の場所の上方に位置させて前記網目対向部及び網線当接部を網の目（穴）に対向させた後に前記網線当接部を網の目（穴）の周囲の網線の下面に当接させるという動作を行うだけで、トングや菜箸やハサミを引っ掛けるためのフックを、焼き網の周囲の端部側の任意の場所に一時的に着脱自在に取付けることができる。したがって、本発明によれば、例えばトングや菜箸やハサミなどを「焼き網の周囲に散らばっている複数人」が交替しながら使用する場合に、「焼き網の周囲に散らばっている複数人」中の誰かがそれまで使用していたトングや菜箸やハサミなどをフック（引掛け具）に引っ掛けようとするときに（又はフックに引っ掛けられているトングや菜箸やハサミを取ろうとするときに）、いちいち前記フックのある場所まで移動する必要がなくなる（又はそのフックの近傍に居る人にトングや菜箸やハサミなどをフックに引っ掛けること若しくはフックに引っ掛けられているトングや菜箸やハサミを取ることを依頼する必要がなくなる）ので、バーベキューをより便利かつ容易に行なえるようになる。
【００１１】
また本願の第２の発明においては、前記略Ｕ又はＶ字形の２本の取り付け用棒に、それぞれ、焼き網に取り付けられるとき前記引っ掛け用棒の端部（分岐用端部）から焼き網のある斜め上方向に延びる上方傾斜部と、焼き網に取り付けられるとき前記上方傾斜部の焼き網に近い端部が焼き網方向に折り曲げられて成る第１折り曲げ部と、焼き網に取り付けられるとき第１折り曲げ部から焼き網に近づく部分であって焼き網の外周のフレームと対向するフレーム対向部と、焼き網に取り付けられるとき前記フレーム対向部の前記第１折り曲げ部と反対側の端部が斜め下方の焼き網の網の目（穴）に近づく方向に折り曲げられて成る第２折り曲げ部と、焼き網に取り付けられるとき前記第２折り曲げ部から斜め下方の焼き網の網の目（穴）の中を通過するように延びる網目通過部と、焼き網に取り付けられるとき前記網目通過部の前記第２折り曲げ部の反対側の端部が斜め上方の焼き網の網線に近づく方向に折り曲げられて成る第３折り曲げ部と、焼き網に取り付けられるとき前記第３折り曲げ部から斜め上方の焼き網の網線の下面に当接するように延びる網線当接部とを備えるようにしている。したがって、本発明によれば、ユーザーは、例えば前記フレーム対向部を焼き網の端部（フレーム）近くの任意の場所の上方に位置させて前記網目通過部を網の目（穴）の中に入れて前記網線当接部を網の目（穴）の周囲の網線の下面に当接させるという動作を行うだけで、トングや菜箸やハサミを引っ掛けるためのフックを、焼き網の外周の端部（フレーム）側の任意の場所に一時的に着脱自在に取付けることができる。よって、本発明によれば、例えばトングや菜箸やハサミなどを「焼き網の周囲に散らばっている複数人」が交替しながら使用する場合に、「焼き網の周囲に散らばっている複数人」中の誰かがそれまで使用していたトングや菜箸やハサミなどをフック（引掛け具）に引っ掛けようとするときに（又はフックに引っ掛けられているトングや菜箸やハサミを取ろうとするときに）、いちいち前記フックのある場所まで移動する必要がなくなる（又はそのフックの近傍に居る人にトングや菜箸やハサミなどをフックに引っ掛けること若しくはフックに引っ掛けられているトングや菜箸やハサミを取ることを依頼する必要がなくなる）ので、バーベキューをより便利かつ容易に行なえるようになる。
【００１２】
さらに、本発明において、前記引っ掛け用棒の一方の端部をトングや菜箸やハサミなどが抜け落ちることを防止するために上方に湾曲された脱落防止用端部とするか又は脱落防止用端部を備えるようにしたときは、焼き網の外側に延びる引っ掛け用棒に引っ掛けられたトングや菜箸やハサミが前記引っ掛け用棒の端部から抜けて落下してしまうことを防止することができる。
【図面の簡単な説明】
【００１３】
【図１】本発明の実施形態１によるバーベキューコンロの焼き網用フックを示す斜視図である。
【図２】本実施形態１によるバーベキューコンロの焼き網用フックを示す斜視図である。
【図３】本実施形態１によるバーベキューコンロの焼き網用フックを示す斜視図である。
【図４】本実施形態１によるバーベキューコンロの焼き網用フックを示す斜視図である。
【図５】本発明の実施形態２によるバーベキューコンロの焼き網用フックを示す斜視図である。
【図６】本実施形態２によるバーベキューコンロの焼き網用フックを示す斜視図である。
【図７】本実施形態２によるバーベキューコンロの焼き網用フックを示す斜視図である。
【図８】本実施形態２によるバーベキューコンロの焼き網用フックを示す斜視図である。
【図９】従来のバーベキューコンロの焼き網用フックを説明するための斜視図である。
【発明を実施するための形態】
【００１４】
〔第１の実施形態〕
以下、本発明の実施形態１について図面を用いて説明する。図１〜４は本発明の実施形態１に係るバーベキューコンロの焼き網用フックを示す斜視図である（なお、図４には後述の本発明の実施形態２に係るフックも図示されている）。
【００１５】
図１及び図４において、１は焼き網、１ａは全体が略長方形状の焼き網１の周囲の端部を構成する金属製フレーム（枠体。以下「焼き網の端部」と呼ぶ場合もある）、１ｂは焼き網１を構成する格子状に組み合わせられた例えば金属線などから成る網腺、１ｃは前記網線１ｂに四方を囲まれた多数の網の目（穴）である。
【００１６】
また、図１〜４において、２は前記焼き網１に対してその外周端部（フレーム）１ａ周辺の任意の場所に一時的に着脱自在に取り付け可能なフックで、３〜６は前記フック２を構成する各部分である。図１〜４において、前記フック２は、焼き網１からユーザー方向に延びる棒であってトングや菜箸やハサミが引っ掛けられる例えば金属製の引っ掛け用棒３と、前記引っ掛け用棒３の焼き網１側端部（分岐用端部）４と、前記端部４から２つの斜め上方向に延びるすなわち全体として略Ｕ又はＶ字状の方向に延びる２つの例えば金属製の取り付け用棒５，６と、から構成されている。前記引っ掛け用棒３の端部４と前記取り付け用棒５，６の図示下端部（略Ｕ又はＶ字状の下端部分）とは例えば溶接により固定されている。
【００１７】
図１〜４において、前記フック２の引っ掛け用棒３は、トングや菜箸やハサミが引っ掛けられる直線状部３ａと、引っ掛け用棒３のユーザー側端部近傍部分であって斜め上方に折り曲げられた折り曲げ部３ｂと、前記折り曲げ部３ｂから斜め上方向に延びる脱落防止用端部３ｃとにより構成されている。前記脱落防止用端部３ｃは、前記直線状部３ａに引っ掛けられたトングや菜箸やハサミが直線状部３ａの端部側から滑り落ちて（又は抜け落ちて）しまうことを防止するためのものである。
【００１８】
また図１〜４において前記フック２の２本の（全体として略Ｕ又はＶ字状の）取り付け用棒５，６は、それぞれ、前記引っ掛け用棒３の端部（分岐用端部）４から焼き網１のある斜め上方向に延びる上方傾斜部５ａ，６ａと、前記上方傾斜部５ａ，６ａの焼き網１に近い端部が斜め下にある焼き網１方向に折り曲げられて成る折り曲げ部５ｂ，６ｂと、前記折り曲げ部５ｂ，６ｂから連続的に焼き網１の在る斜め下方に延びて焼き網１の網の目（穴）１ｃに対向する網目対向部５ｃ，６ｃと、前記網線当接部５ｄ，６ｄから連続的に斜め下方に延びて前記網の目（穴）１ｃの周囲の網線１ｂの下面に当接する網線当接部５ｄ，６ｄとから構成されている。
【００１９】
ユーザーは、本実施形態１を焼き網１に一時的に且つ着脱自在に取り付けようとするときは、例えば、前記取り付け用棒５，６の折り曲げ部５ｂ，６ｂを焼き網１の外周端部（フレーム）１ａ近くの任意の場所の上方に位置させて、その先に連続する前記網目対向部５ｃ，６ｃを前記端部（フレーム）１ａ近くの網の目（穴）１ｃに対向させつつ、その先に連続する網線当接部５ｄ，６ｄを網の目（穴）１ｃの周囲の網線１ｂの下面に当接させるという単純な動作を行うだけでよい。すなわち、ユーザーは、このような単純な動作を行うだけで、トングや菜箸やハサミを引っ掛けるためのフック２の引っ掛け用棒３を、重力方向に力が加わっても焼き網１から外れないように、焼き網１に取り付けることができる。しかも、ユーザーは、前記フック２の引っ掛け用棒３を、焼き網１の外周端部（フレーム）１ａ側の任意の場所に、一時的に且つ着脱自在に取り付けることができる。
【００２０】
したがって、本実施形態１によれば、例えばトングや菜箸やハサミなどを「焼き網１の周囲に散らばっている複数人」が交替しながら使用する場合に、「焼き網１の周囲に散らばっている複数人」中の誰かがそれまで使用していたトングや菜箸やハサミなどをフック２に引っ掛けようとするときに（又はフック２に引っ掛けられているトングや菜箸やハサミを取ろうとするときに）、いちいち前記フック２のある場所まで移動する必要がなくなる（又はそのフック２の近傍に居る人にトングや菜箸やハサミなどをフック２に引っ掛けること若しくはフック２に引っ掛けられているトングや菜箸やハサミを取ることを依頼する必要がなくなる）ので、バーベキューをより便利かつ容易に行なえるようになる。
【００２１】
他方、ユーザーは、本実施形態１を焼き網１から取り外そうとするときは、例えば、引っ掛け用棒３の脱落防止用端部３ｃ又はその近傍を図１の矢印α方向に回動するという単純な動作を行うだけで、前記網線当接部５ｄ，６ｄが前記網線１ｂの下面から離れさせて、本実施形態１を焼き網１から取り外すことができる。
【００２２】
〔第２の実施形態〕
以下、本発明の実施形態２を図面を用いて説明する。図５〜８は本発明の実施形態１に係るバーベキューコンロの焼き網用フックを示す斜視図である。図５〜８において、１１は焼き網、１１ａは焼き網１１の外周に配置された金属製フレーム（枠体）、１１ｂは焼き網１１中の前記フレーム１１ａの内部を構成する格子状の網線（例えば金属製線材により構成される）、１１ｃは前記網線１１ｂに囲まれた多数の網の目（穴）である。
【００２３】
図５〜８において、１２は焼き網１１に対してその外周端部（フレーム）１１ａ周辺の任意の場所に一時的に着脱自在に取り付け可能なフックで、１３〜１６は前記フック１２を構成する各部分である。図５〜８において、前記フック１２は、焼き網１１からユーザー方向に延びる棒であってトングや菜箸やハサミが引っ掛けられる例えば金属製の引っ掛け用棒１３と、前記引っ掛け用棒１３の焼き網１１側の端部（分岐用端部）１４と、前記分岐用端部１４から２つの斜め上方向に延びるすなわち全体として略Ｕ又はＶ字状の方向に延びる２つの例えば金属製の取り付け用棒１５，１６と、から構成されている。前記引っ掛け用棒１３の分岐用端部１４と前記取り１付け用棒１５，１６の図示下端部（略Ｕ又はＶ字状の下端部分）とは、例えば溶接により固定されている。
【００２４】
図５〜８において、前記フック１２の引っ掛け用棒１３は、トングや菜箸やハサミが引っ掛けられる直線状部１３ａと、引っ掛け用棒１３のユーザー側端部の近傍部分が斜め上方に折り曲げられて成る折り曲げ部１３ｂと、前記折り曲げ部１３ｂから斜め上方向に延びる脱落防止用端部１３ｃとにより構成されている。前記脱落防止用端部１３ｃは、前記直線状部１３ａに引っ掛けられたトングや菜箸やハサミが直線状部１３ａの端部側から滑り落ちて（又は抜け落ちて）しまうことを防止するためのものである。
【００２５】
また図５〜８において前記フック１２の２本の（全体として略Ｕ又はＶ字状の）各取り付け用棒１５，１６は、それぞれ、前記引っ掛け用棒１３の端部（分岐用端部）１４から連続的に焼き網１１のある斜め上方向に延びる上方傾斜部１５ａ，１６ａと、前記上方傾斜部１５ａ，１６ａの焼き網１１に近い端部が焼き網１１方向に折り曲げられて成る第１折り曲げ部１５ｂ，１６ｂと、前記第１折り曲げ部１５ｂ，１６ｂから焼き網１１の方向に延びる部分であって焼き網１１の外周フレーム１１ａの上方において外周フレーム１１ａと対向するフレーム対向部１５ｃ，１６ｃと、前記フレーム対向部１５ｃ，１６ｃの前記第１折り曲げ部１５ｂ，１６ｂと反対側の端部が斜め下方の焼き網１１の網の目（穴）１１ｃに近づく方向に折り曲げられて成る第２折り曲げ部１５ｄ，１６ｄと、前記第２折り曲げ部１５ｄ，１６ｄから斜め下方の焼き網１１の網の目（穴）１１ｃに対向し且つその中を通過するように延びる網目通過部１５ｅ，１６ｅと、前記網目通過部１５ｅ，１６ｅの前記第２折り曲げ部１５ｄ，１６ｄの反対側の端部が焼き網１１の網線１１ｂの在る斜め上方に折り曲げられて成る第３折り曲げ部１５ｆ，１６ｆと、前記第３折り曲げ部１５ｆ，１６ｆから斜め上方に在る焼き網１１の網線１１ｂの下面に当接するように延びる網線当接部１５ｇ，１６ｇとから構成されている。
【００２６】
ユーザーは、本実施形態２を焼き網１１に一時的に且つ着脱自在に取り付けようとするときは、例えば、前記取り付け用棒１５，１６中のフレーム対向部１５ｃ，１６ｃを焼き網１１の端部（フレーム）１１ａの上方又はその近傍に位置させ、それより先端側にある前記「網線当接部１５ｇ，１６ｇ、第３折り曲げ部１５ｆ，１６ｆ、及び網目通過部１５ｅ，１６ｅ」をこの記載順に網の目（穴）１１ｃの中に通過させる、その後、前記網目通過部１５ｅ，１６ｅの一部を前記網の目（穴）１１ｃに対向させつつ、前記網線当接部１５ｇ，１６ｇを前記通過した網の目（穴）１１ｃから少し離れた網線（前記通過した網の目（穴）１１ｃと隣接する別の網の目（穴）を構成する網線）１１ｂの下面に当接させるという単純な動作を行うだけでよい。すなわち、ユーザーは、このような単純な動作を行うだけで、トングや菜箸やハサミを引っ掛けるためのフック１２の引っ掛け用棒１３を、重力方向に力が加わっても焼き網１１から外れないように、焼き網１１に取り付けることができる。しかも、フック１２の引っ掛け用棒１３を、焼き網１１の外周端部（フレーム）１１ａ側の任意の場所に、一時的に且つ着脱自在に取り付けることができる。
【００２７】
したがって、本実施形態２によれば、例えばトングや菜箸やハサミなどを「焼き網１の周囲に散らばっている複数人」が交替しながら使用する場合に、「焼き網１の周囲に散らばっている複数人」中の誰かがそれまで使用していたトングや菜箸やハサミなどをフック１２に引っ掛けようとするときに（又はフック１２に引っ掛けられているトングや菜箸やハサミを取ろうとするときに）、いちいち前記フック１２のある場所まで移動する必要がなくなる（又はそのフック１２の近傍に居る人にトングや菜箸やハサミなどをフック１２に引っ掛けること若しくはフック１２に引っ掛けられているトングや菜箸やハサミを取ることを依頼する必要がなくなる）ので、バーベキューをより便利かつ容易に行なえるようになる。
【００２８】
他方、ユーザーは、本実施形態２を焼き網１１から取り外そうとするときは、例えば、引っ掛け用棒１３の脱落防止用端部１３ｃ又はその近傍部分を図５の矢印α方向に回動するという単純な動作を行うだけで、前記網線当接部１５ｇ，１６ｇが前記網線１１ｂから離れ、前記「網線当接部１５ｇ，１６ｇ、第３折り曲げ部１５ｆ，１６ｆ、及び網目通過部１５ｅ，１６ｅ」が網の目（穴）１１ｃから外されるので、本実施形態２を焼き網１から取り外せるようになる。
【００２９】
以上、本発明の各実施形態について説明したが、本発明は前記の各実施形態として述べたものに限定されるものではなく、様々な修正及び変更が可能である。例えば、前記実施形態１，２においては、前記引っ掛け用棒３，１３中のトングや菜箸やハサミが引っ掛けられる部分を略直線状の略直線状部３ａ，１３ａとしたが、本発明ではこれに限られるものではなく、例えば前記引っ掛け用棒３，１３中のトングや菜箸やハサミが引っ掛けられる部分を波状に形成するようにしてもよい（このようにした場合は、前記脱落防止用端部３ｃ，１３ｃが無くても、引っ掛け用棒３，１３に引っ掛けたトングや菜箸やハサミが引っ掛け用棒の端部側から滑り落ちて又は抜け落ちてしまうことが防止されるようになる）。また、前記各実施形態１，２においてはフック２，１２を構成する引っ掛け用棒３，１３及び取り付け用棒５，６，１５，１６を金属製（例えば鉄製又はステンレス製）としたが、本発明においては材料は金属に限定されるものではなく、例えばセラミックなどにより形成することも可能である。また、本発明においては、フック２，１２を構成する引っ掛け用棒３，１３の先端（脱落防止用端部３ｃ，１３ｃ）に例えばゴムなどの柔軟素材により形成される衝突緩衝部材を取り付けるようにしてもよい（これにより、引っ掛け用棒３，１３の先端に身体が当たったときにユーザーが怪我をすることが防止できるようになる）。さらに、前記各実施形態１，２では、引っ掛け用棒とこの引っ掛け用棒の分岐用端部から略Ｕ字状又は略Ｖ字状に分かれるように延びる２本の取り付け用棒とをそれぞれ別体とし互いを溶接などにより固定するようにしたが、本願発明では前記引っ掛け用棒と前記２本の取り付け用棒とを一体に形成するようにしてもよい。
【符号の説明】
【００３０】
１，１１  焼き網
１ａ，１１ａ  フレーム
１ｂ，１１ｂ  網線
１ｃ，１１ｃ  網の目（穴）
２，１２      フック
３，１３      引っ掛け用棒
３ａ，１３ａ 直線状部
３ｂ，５ｂ，６ｂ，１３ｂ，１５ｂ，１６ｂ，１５ｆ，１６ｆ  折り曲げ部
３ｃ，１３ｃ  脱落防止用端部
４，１４      端部（分岐用端部）
５，６，１５，１６   取り付け用棒
５ａ，６ａ，１５ａ，１６ａ 上方傾斜部
５ｃ，６ｃ   網目対向部
５ｄ，６ｄ，１５ｇ，１６ｇ 網線当接部
１５ｃ，１６ｃ      フレーム対向部
１５ｅ，１６ｅ      網目通過部
【要約】
【目的】  焼き網の周囲の端部側の任意の場所に一時的に着脱自在に取付けることができるバーベキューコンロの焼き網用フックを提供する。
【構成】  トングや菜箸やハサミなどが引っ掛けられる部分を含んでおり、焼き網に取り付けられるとき焼き網からユーザー方向に延びる引っ掛け用棒と、前記引っ掛け用棒の端面と対向する方向から見て前記引っ掛け用棒の焼き網側の端部（分岐用端部）から２つの斜め上方向に略Ｕ字状又は略Ｖ字状に分かれるように、且つ前記引っ掛け用棒の側面と対向する方向から見て前記引っ掛け用棒の長手方向と略直交又は傾斜する上方向に延びるように、前記引っ掛け用棒の端部と連続し又は接続されている、全体が略Ｕ又はＶ字形となっている略Ｕ又はＶ字形の２本の取り付け用棒とを備えた焼き網用フックである。
【選択図】    図１【図９】
0005537713.tif 000002
【図１】
0005537713.tif 000003
【図２】
0005537713.tif 000004
【図３】
0005537713.tif 000005
【図４】
0005537713.tif 000006
【図５】
0005537713.tif 000007
【図６】
0005537713.tif 000008
【図７】
0005537713.tif 000009
【図８】
0005537713.tif 000010